(57)【特許請求の範囲】
【請求項１】
送り出しロールにて連続紙を送り出す給紙装置と、交換胴装置を装脱可能にした印刷ユニットを有する印刷部と、印刷部より下流側に位置して引き込みロールにて連続紙を引き込む引き込み装置とを有する交換胴型輪転機において、
上記交換胴装置として、全周に印刷面を有する印刷胴を用いた連続印刷用の交換胴装置と、円周方向の一部を他の部分より大径にしてこの大径部の周面に印刷面を有する印刷胴を用いた間欠印刷用の交換胴装置とを選択的に用い、
給紙装置の送り出しロールの下流側と、引き込み装置の引き込みロールの上流側に、連続紙を正転方向と逆転方向に走行及び停止できるようにした正逆走行手段を設け、送り出しロールと上流側の正逆走行手段との間、及び下流側の正逆走行手段と引き出しロールとの間に、固定可能にしたダンサーロールを設けた
ことを特徴とする交換胴型輪転機。
【請求項２】
印刷ユニットを連続紙の走行方向に位置調整可能にしたことを特徴とする請求項１または２記載の交換胴型輪転機。
【請求項３】
各部分のロールの個々の駆動源としてセクショナルモータを用いたことを特徴とする請求項１，２または３記載の交換胴型輪転機。
【発明の詳細な説明】
【０００１】
【発明の属する技術分野】
本発明は、選択された天地長さの絵柄を連続印刷と、天地長さを任意に変更可能にした間欠印刷の双方を選択的に行うことができるようにした交換胴型輪転機に関するものである。
【０００２】
【従来の技術】
従来、絵柄の天地長さを可変とした輪転機には、交換胴型輪転機と間欠送り型輪転機とがある。
【０００３】
【発明が解決しようとする課題】
交換胴型輪転機の場合、絵柄の天地長さは交換胴ユニットのギヤの円周ピッチにより決められるが、その関係上、１／４インチとびでない２００ｍｍ、３００ｍｍなどのミリサイズの天地長さの絵柄の印刷は不可能である。
【０００４】
また、間欠送り型輪転機としては、特開昭５８−５５２４６号公報や、実開平２−１３３３３９号公報に示されたものが知られている。これらの輪転機では、天地長さは任意に設定できるが、連続紙が前進、停止、後進を繰り返すため、生産速度が上がらず、大ロットには向かない。
【０００５】
このように、絵柄の天地長さを可変にして連続印刷した場合と、任意の天地長さの絵柄を選択的に印刷したい場合の双方の要求がある場合、従来は、交換胴型輪転機と、間欠送り型輪転機の双方を用意しなければならず、コスト的な負担が大きかった。
【０００６】
本発明は上記のことにかんがみなされたもので、少品種大ロット及び多品種小ロットのいずれの印刷をも低コストで行うことができると共に、低い設備費で得ることができるようにした交換胴型輪転機を提供することを目的とするものである。
【０００７】
【課題を解決するための手段】
上記目的を達成するために、本発明の請求項１に係る交換胴型輪転機は、送り出しロールにて連続紙を送り出す給紙装置と、交換胴装置を装脱可能にした印刷ユニットを有する印刷部と、印刷部より下流側に位置して引き込みロールにて連続紙を引き込む引き込み装置とを有する交換胴型輪転機において、上記交換胴装置として、全周に印刷面を有する印刷胴を用いた連続印刷用の交換胴装置と、円周方向の一部を他の部分より大径にしてこの大径部の周面に印刷面を有する印刷胴を用いた間欠印刷用の交換胴装置とを選択的に用い、給紙装置の送り出しロールの下流側と、引き込み装置の引き込みロールの上流側に、連続紙を正転方向と逆転方向に走行及び停止できるようにした正逆走行手段を設け、送り出しロールと上流側の正逆走行手段との間、及び下流側の正逆走行手段と引き出しロールとの間に、固定可能にしたダンサーロールを設けた構成になっている。
【０００８】
そして上記構成の交換胴型輪転機において、印刷ユニットを連続紙の走行方向に位置調整可能にし、また各部分のロールの個々の駆動源としてセクショナルモータを用いた。
【０００９】
【作用】
連続印刷する場合には、印刷ユニットに連続印刷用の交換胴装置を装着すると共に、上流側と下流側の各ダンサーロールを固定し、給紙装置から引き込み装置にわたって印刷ユニットを経て連続紙を所定の速度で走行させることにより、印刷ユニットの交換胴装置の交換胴にセットした絵柄が繰り返し連続印刷される。このときの各絵柄の天地長さは上記交換胴によって選定される。
【００１０】
間欠印刷する場合には、印刷ユニットに間欠印刷用の交換胴装置を装着すると共に、上流側と下流側の各ダンサーローラを固定を解除する。送り出しロールと引き込みロールにて一定の走行量にて走行される連続紙が印刷胴と圧胴の間を通ることにより印刷胴の大径部にて絵柄が印刷される。そして印刷胴が１回転する毎に、連続紙が印刷胴の小径部に対向している間に、印刷胴の大径部の周長（Ｌ）から上記絵柄の天地長さ（ａ）を差引いた周長分だけ連続紙が正逆走行手段に連続紙の走行方向に対して逆走（停止も含む）される。
【００１１】
上記正逆走行手段にて連続紙が逆走されたときに、給紙装置の正逆走行手段の上流側で連続紙が弛み、引き込み装置の正逆走行手段の下流側で緊張するが、この連続紙の上流側と下流側での弛みと緊張は上流側と下流側に設けられたダンサーロールにて吸収される。
【００１２】
印刷ユニットが移動することにより印刷見当が調整される。また各部分のロールが各部分毎にセクショナルモータにて個々に駆動される。
【００１３】
【発明の実施の形態】
本発明の実施の形態を図面に基づいて説明する。図１は本発明に係る輪転機の全体を示すもので、図中１は給紙部、２は複数の印刷ユニット２ａ，２ｂ，２ｃを備えた印刷部、３は加工部である。
【００１４】
給紙部１はロール状の連続紙４を支持する紙支持台５と、この紙支持台５に支持された連続紙４を印刷部２に供給する給紙装置６とからなっている。なお、７はロール状から巻き戻した連続紙４を調湿する調湿装置で多数のロールからなっている。
【００１５】
給紙装置６は送り出しロール８と、ダンサーロール９と、２個の正逆転ロール１０ａ，１０ｂと、ガイドロール１１とからなっており、これらは連続紙４の走行方向に順に配置されている。送り出しロール８は単独制御可能にしたセクショナルモータ１２ａにて連続紙４を一定の速度で送り出す方向に回転するようになっている。
【００１６】
２個の正逆転ロール１０ａ，１０ｂは上下に位置がずれていると共に、それぞれが同一速度で互いに逆方向に回転するように歯車列にて連結されている。そして一方の正逆転ロール１０ａに単独制御可能にした正逆転モータ１３ａが連結されている。
【００１７】
ダンサーロール９は送り出しロール８と上流側の正逆転ロール１０ａとの間に配置されている。そしてこのダンサーロール９はフレームに揺動自在に支持された揺動アーム１４の先端に支持されている。揺動アーム１４はベロフラムシリンダ（商品名）等、付勢力が調整可能になっている付勢装置１５にて下方（連続紙４を緊張する方向）へ付勢されており、ダンサーロール９はこの付勢装置１５の付勢力に抗して上下方向に揺動可能になっている。
【００１８】
またこのダンサーロール９を支持する揺動アーム１４の基部には揺動アーム１４の支点を中心とする円弧穴１６を有するロックプレート１７が一体に設けてあり、このロックプレート１７は適宜な手段、例えば円弧穴１６に挿通されていて、ハンドルにて締め付け可能にしたボルトにてフレーム側に固定することができるようになっており、ロックプレート１７がフレーム側に固定されることによりダンサーロール９がその位置でロックされるようになっている。
【００１９】
加工部３の入口部（上流部）には印刷部２から連続紙４を引き込む引き込み装置２０が設けてある。この引き込み装置２０は２個の正逆転ロール２１ａ，２１ｂと、ダンサーロール２２と、引き込みロール２３と、ガイドロール２４とからなり、これらは連続紙４の走行方向に順に配置されている。
【００２０】
２個の正逆転ロール２１ａ，２１ｂは上下に位置がずれていると共に、それぞれが同一速度で互いに逆方向に回転するように歯車列にて連結されている。そして一方の正逆転ロール２１ａに単独制御可能にした正逆転モータ１３ｂが連結されている。
【００２１】
ダンサーロール２２は下流側の正逆転ロール２１ｂと引き込みロール２３との間に配置されている。そしてこのダンサーロール２２は上記した給紙装置６のダンサーロール９と同様の構成となっていて、付勢装置１５にて下流側の正逆転ロール２１ｂから引き込みロール２３の間の連続紙４を緊張する方向に付勢すると共に、この付勢力に抗して上下方向に揺動可能になっており、さらに、これをロックできるようになっている。
【００２２】
引き込みロール２３は単独制御可能にしたセクショナルモータ１２ｂにて連続紙４を一定の速度で加工部３側へ引き込む方向に回転するようになっている。
【００２３】
印刷部２の各印刷ユニット２ａ，２ｂ，２ｃは交換胴型になっていて、それぞれには連続印刷用の交換胴装置２５ａ，２５ｂ，２５ｃと、後述する間欠印刷用の交換胴装置２６ａ，２６ｂ，２６ｃが着脱可能に装着されるようになっている。
【００２４】
連続印刷用の各交換胴装置２５ａ，２５ｂ，２５ｃは版胴２７、ブランケット胴２８、圧胴２９とを有しており、それぞれの版胴２７が各印刷ユニット２ａ，２ｂ，２ｃに設けられた単独制御可能にしたセクショナルモータ３０ａ，３０ｂ，３０ｃに歯車を介して係脱可能に連結されるようになっている。上記各モータ３０ａ，３０ｂ，３０ｃは個々に回転速度が制御されるようになっている。
【００２５】
間欠印刷用の交換胴装置２６ａ，２６ｂ，２６ｃは図２に示すようになっていて、版胴３１、ブランケット胴３２、圧胴３３からなっている。そして、ブランケット胴３２は版胴３１と圧胴３３に接触する大径部と、版胴３１と圧胴３３の周面と所定の隙間を有する小径部とに周方向に分割されており、大径部の周囲にブランケットが取り付けてある。この大径部の周方向の長さは対象印刷物の最大天地長さより少し長くしてある。この実施の形態では全周長の１／２にしてある。そしてこのブランケット胴３２に対応する版胴３１はブランケット胴３２の大径部の径の整数分の１になっており、この実施の形態では１／２にしてある。
【００２６】
そしてこの各交換胴装置２６ａ，２６ｂ，２６ｃを各印刷ユニット２ａ，２ｂ，２ｃに装着した状態で各交換胴装置２６ａ，２６ｂ，２６ｃの版胴３１が各ユニットのセクショナルモータ３０ａ，３０ｂ，３０ｃに歯車を介して係脱可能に連結されるようになっている。
【００２７】
上記した各印刷ユニット２ａ，２ｂ，２ｃは基台３４のレール３５上にリニアガイド３６を介して連続紙４の走行方向に所定のストロークにわたって移動可能に載置されている。図３はこの印刷ユニット２ａ，２ｂ，２ｃの移動手段及び固定手段を示すもので、各ユニットのフレーム３７は基台３４に移動方向に設けたねじ軸３８に螺合している。そしてこのねじ軸３８を傘歯車機構３９を介してハンドル４０にて回転することによりフレーム３７が移動するようになっている。また基台３４の各印刷ユニット２ａ，２ｂ，２ｃに対応する位置にロック部材４１が偏心カム軸４２を回転することにより下方へ移動するように設けてあり、このロック部材４１の上端部が各ユニットのフレーム３７の一側部に対向されており、ロック部材４１を下動することによりフレーム３７が基台３４に押え付けられ固定されて各印刷ユニット２ａ，２ｂ，２ｃが基台３４に固定されるようになっている。
【００２８】
上記構成における作用を以下に説明する。
（１）連続印刷
印刷部２の各印刷ユニット２ａ，２ｂ，２ｃに連続印刷用の交換胴装置２５ａ，２５ｂ，２５ｃを装着すると共に、上流側と下流側の両ダンサーロール９，２２を固定する。この状態で輪転機に連続紙４を紙通しして通常の単一方向回転印刷機として連続印刷を行う。
【００２９】
すなわち、この場合、給紙装置６の送り出しロール８、正逆転ロール１０ａ，１０ｂ及び引き込み装置２０の正逆転ロール２１ａ，２１ｂ及び引き込みロール２３を同期して同一方向へ連続回転して連続紙４を一定の速度で走行する。そしてこのときにおいて、各印刷ユニット２ａ，２ｂ，２ｃの連続印刷用の交換胴装置２５ａ，２５ｂ，２５ｃのそれぞれの胴の周速度を上記連続紙４の走行速度に各モータ３０ａ，３０ｂ，３０ｃにて制御する。またこのときの各印刷ユニット２ａ，２ｂ，２ｃの連続紙４の走行方向の位置は、印刷絵柄の天地長さに応じてセットし、固定させておく。
【００３０】
（２）間欠印刷
印刷部２の各印刷ユニット２ａ，２ｂ，２ｃに間欠印刷用の交換胴装置２６ａ，２６ｂ，２６ｃを装着すると共に、上流側と下流側の両ダンサーロール９，２２の固定を解除する。この状態で輪転機に連続紙４を紙通しして間欠印刷を行う。
【００３１】
以下にこの間欠印刷の詳細を説明する。なお、説明しやすくするために、印刷しようとする絵柄の天地長さａが（ａ）ブランケット胴３２の大径部の周長Ｌと同じである場合（ａ＝Ｌ）と、（ｂ）ブランケット胴の大径部の周長Ｌの１／２である場合（ａ＝Ｌ／２）のそれぞれの印刷を説明する。
【００３２】
（ａ）絵柄の天地長さがブランケット胴２３の大径部の周長と同じ場合
【００３３】
送り出しロール８と引き込みロール２３による連続紙４のブランケット胴３２の１回転当たりの走行量をａ（＝Ｌ）に設定する。また、給紙装置６側と加工部３側（上下流側）のそれぞれの正逆転ロール１０ａ，１０ｂ及び２１ａ，２１ｂを、各間欠印刷用の交換胴２６ａ，２６ｂ，２６ｃのブランケット胴３２の周速に同期させると共に、正転方向の走行量をａに設定して正転と停止を繰り返し行う。
【００３４】
図２に示す状態で、版胴３１の刷版にて天地長さがａ（＝Ｌ）の絵柄が転写されたブランケット胴３２が１／２回転すると共に、上下流側の正逆転ロール１０ａ，１０ｂ及び２１ａ，２１ｂが走行量Ｌだけ正転することにより、連続紙４上に天地長さがブランケット胴３２の大径部の周長Ｌ（＝ａ）の絵柄が印刷される。その後、連続紙４はブランケット胴３２が１／２回転する間にわたってこれの小径部に対向され、その後再び大径部が連続紙４に対向して再び同じ絵柄が印刷される。
【００３５】
このとき、連続紙４が連続して走行すると、絵柄と絵柄との間に小径部の周長に相当する長さの白紙部ができてしまうので、正逆転ロール１０ａ，１０ｂ及び２１ａ，２１ｂの回転を制御して連続紙４の走行量を制御する。すなわち、上下流側の正逆転ロール１０ａ，１０ｂ及び２１ａ，２１ｂの回転を、上記ブランケット胴３２の小径部の周長の走行時間にわたって停止させる。ついでブランケット胴３２の大径部の端部が連続紙４に対向した状態で正逆転ロール１０ａ，１０ｂ及び２１ａ，２１ｂを走行量がａだけ再び正転させる。
【００３６】
このように、ブランケット胴３２の回転に同期して上下流側の正逆転ロール１０ａ，１０ｂ及び２１ａ，２１ｂを正転と停止を繰り返すことにより連続紙４上に天地長さａがブランケット胴３２の大径部の周長Ｌの絵柄が、絵柄相互間に余分な白紙部ができることなく繰り返し印刷される。
【００３７】
このとき、送り出しロール８と引き込みロール２３により連続紙４が一定速度で走行されているのに対して、上記したように、印刷部での連続紙４は間欠的に走行されるが、このときの連続紙４の走行量の差は上下流側のダンサーロール９，２２にて吸収される。
【００３８】
（ｂ）絵柄の天地長さａがブランケット胴３２の大径部の周長Ｌの１／２の場合
【００３９】
送り出しロール８と引き込みロール２３による連続紙４のブランケット胴３２の１回転当たりの走行量をａ（＝Ｌ／２）に設定する。また、上下流側の正逆転１０ａ，１０ｂ及び２１ａ，２１ｂを、ブランケット胴３２の周速に同期させると共に、正転方向に走行量がＬだけ回転し、ついでＬ−ａだけ逆転するように設定してこの正転と逆転を繰り返し行う。
【００４０】
図２に示す状態で、ブランケット胴３２の大径部には、これの上流側端から周長ａ（＝Ｌ／２）にわたって絵柄が転写されている。しかしてこの状態でブランケット胴３２がこれの大径部分の周長分（Ｌ）の１／２の長さ分だけ回転すると共に、正逆転ロール１０ａ，１０ｂ及び２１ａ，２１ｂが走行量Ｌだけ正転することにより、連続紙４上に天地長さａの絵柄とＬ−ａの空白部が印刷される。
【００４１】
ついで、ブランケット胴３２が１／２回転する間、すなわち、連続紙４にブランケット胴３２の小径部が対向している間に、正逆転ロール１０ａ，１０ｂ及び２１ａ，２１ｂをＬ−ａ分だけ逆転させ、再びＬ分だけ正転させる。これにより、連続紙４上には、天地長さがブランケット胴３２の全周長より短い天地長さａの絵柄が余分な白紙部ができることなく繰り返し印刷される。
【００４２】
このときの送り出しロール８と引き込みロール２３による連続紙４の走行量と正逆転ロール１０ａ，１０ｂ及び２１ａ，２１ｂの間欠送りとの走行量の差は上下流側のダンサーロール９，２２にて吸収される。
【００４３】
なお、この間欠印刷用の交換胴装置２６ａ，２６ｂ，２６ｃにあっては、圧胴３３がブランケット胴３２の大径部の周面に当接する位置から離間する位置に移動（スキップ）することができるようにしたものもある。
【００４４】
この構成では、上記した（ｂ）の場合のように、印刷絵柄の天地長さａが大径部の周長Ｌの１／２の場合のように、大径部の周長Ｌに対して絵柄の天地長さａが短い場合に、絵柄の印刷が終了して、まだ残りの大径部の周面が圧胴と対向している間に、圧胴をスキップ作動させてブラケット胴より離間してやる。これにより、この圧胴のスキップ間だけブランケット胴と圧胴とが１回転当たりの接触しない時間が長くなり、連続紙を逆方向に走行する時間に余裕をもたせることができる。
【００４５】
上記作用において、各印刷ユニット２ａ，２ｂ，２ｃは連続紙４の走行方向に移動して印刷位置合わせを行う。
【００４６】
上記した実施の形態での各交換胴装置は版胴とブランケット胴、圧胴の３胴式（オフセット印刷）の場合を示したが、版胴による直刷り、すなわち２胴式であってもよい。この場合、圧胴に版胴が直接転写するもので、この圧胴に転接するブランケット胴及び版胴を印刷胴と総称することができる。
【００４７】
【発明の効果】
本発明によれば、印刷ユニットに連続印刷用の交換胴装置と間欠印刷用の交換胴装置の双方を選択的に装着することができることにより、連続印刷用の交換胴装置による少品種大ロット印刷と、この連続印刷では速度比の関係から印刷できない、例えば２００ｍｍ、３００ｍｍなどミリサイズの天地長さの絵柄等、多品種小ロット印刷のいずれの印刷を低コストで行うことができる。また、上記両ロットを１台の輪転機にて選択的に行うことができることにより、上記両ロット印刷のための設備費を低くすることができる。
【図面の簡単な説明】
【図１】連続印刷用の交換胴装置を装着した場合の輪転機全体を概略的に示す正面図である。
【図２】間欠印刷用の交換胴装置を示す概略的な構成説明図である。
【図３】印刷ユニットの移動手段と固定手段を概略的に示す斜視図である。
【符号の説明】
１…給紙部、２…印刷部、２ａ，２ｂ，２ｃ…印刷ユニット、３…加工部、４…連続紙、５…紙支持台、６…給紙装置、７…調湿装置、８…送り出しロール、９，２２…ダンサーロール、１０ａ，１０ｂ，２１ａ，２１ｂ…正逆転ロール、１１，２４…ガイドロール、１２ａ，１２ｂ，３０ａ，３０ｂ，３０ｃ…セクショナルロール、１３ａ，１３ｂ…正逆転モータ、１４…揺動アーム、１５…付勢装置、１６…円弧穴、１７…ロックプレート、２０…引き込み装置、２３…引き込みロール、２５ａ，２５ｂ，２５ｃ，２６ａ，２６ｂ，２６ｃ…交換胴装置、２７，３１…版胴、２８，３２…ブランケット、２９，３３…圧胴、３４…基台、３５…レール、３６…リニアガイド、３７フレーム、３８…ねじ軸、３９…傘歯車機構、４０…ハンドル、４１…ロック部材、４２…偏心カム軸。
【図１】
0004637330.tif 000002
【図２】
0004637330.tif 000003
【図３】
0004637330.tif 000004